(57)【要約】【目的】流体抵抗、殊に空気抵抗を減少させるバットの改良。【構成】バットを振り抜き時に空気抵抗となる好ましくないカルマン渦の発生を抑止し、早く鋭く又、振動もないバットの振り抜きを可能とするため、バット表面に、スパイラル状の微細な溝を、素材如何により一体成型乃至所謂ヘアーラインバフ加工によって形成する。【選択図】　図１
2004130001.tif 000002
【特許請求の範囲】
【請求項１】
適宜素材より成る野球用バットに於いて、
グリップ部以外の本体部略全表面に亘って極く微細な溝を、長さ方向にスパイラル状を呈するよう形成したこと、
を特徴とする野球用バット。
【請求項２】
前記スパイラル状を呈するよう形成する工程を、バットの素材によって一体成型するか、あるいは、ヘアーラインバフ加工と称する磨き作業にて行うか、の何れかによること、
を特徴とする請求項１記載の野球用バット。
【請求項３】
前記スパイラル状を呈する微細溝が、長さ方向に対して右巻き又は左巻きの何れかであること、
を特徴とする請求項１又は２記載の野球用バット。
【請求項４】
前記バットを構成する適宜素材が、アルミニウム・チタン等の金属又は合金材、カーボン材、木質材、ＦＲＰ等の合成樹脂材、または表面を合成樹脂によって極く薄く塗膜した木質材、の何れかであること、
を特徴とする請求項１又は３記載の野球用バット。
【請求項５】
前記表面に合成樹脂塗膜を施した木質材のバットに於いて、前記スパイラル状を呈する微細溝形成が、表面塗膜部分のみになされ被覆された木質材部分には至らないこと、
を特徴とする請求項１又は４記載の野球用バット。
【請求項６】
前記スパイラル状を呈する微細溝を形成するに際して、該溝の深さ乃至幅を任意に選択すること、
を特徴とする請求項１又は２、又は４記載の野球用バット。
【請求項７】
前記スパイラル状を呈する微細溝を形成するに際し、該スパイラル自体の暖急を任意に選択すること、
を特徴する請求項１乃至６記載の野球用バット。
【請求項８】
前記スパイラル状を呈する微細溝の形成が、肉眼で目視しえぬ程度にまで超微細であること、
を特徴とする請求項１乃至７記載の野球用バット。
【発明の詳細な説明】
【０００１】
【発明の属する技術分野】
本発明は、野球用バットの改良に係り、バット移動時の空気抵抗を減少させるものである。
【０００２】
【従来の技術】
バットのスウィング時に、バット後方には所謂カルマン渦と呼ばれる、バット振り抜きに対して空気抵抗となる好ましくない渦が発生することは従来広く知られていた。
従って、選手がバットを速く、強くスウィングすることには限界があり、従ってその結果、飛距離を伸ばす、ということにも自ずと限界があった。
【０００３】
【発明が解決しようとする課題】
こうした好ましくないカルマン渦による悪影響を解消することが、全体的に高度なレベルとなっており、僅かな差異が大きな問題となってきている近時の野球競技に於いては格別に要求されるところであり、各バットメーカーは、各自の視点から苦慮しているが、期待に添えるような、結果として、所謂「よく飛ぶ」というバットは未だ生まれていない、というのが実態である。
本発明は、バットのスウィング時の、このカルマン渦の発生そのものを抑制し、速いバットスウィングを可能とせんとするものである。
【０００４】
【課題を解決するための手段】
本発明に係る野球用バットは、バット本体部表面略全体に一体成型乃至磨き加工を施こし極めて微細なかつ多数の溝を、長さ方向にスパイラル状を呈するよう形成して、空気抵抗となる好もしからざるカルマン渦を抑止することをその要旨とするものである。
【０００５】
該極めて微細なかつ多数の溝を、長さ方向にスパイラル状を呈するよう形成するには、バット本体部の素材に応じて、一体成型とするか（ＦＲＰ等の合成樹脂など）、あるいは、最終工程での所謂ヘアーラインバフ仕上げ乃至加工と称する磨き加工（サンド加工）によるか、の何れによることとなる。
【０００６】
尚、スパイラルの方向は、右巻きでも左巻きでもよく、使用者の選択による。
【０００７】
バット本体の素材としては、アルミニウムやチタンなどの金属乃至合金属材、またカーボン材、更に木質材、あるいはＦＲＰなどの合成樹脂材などが選択されうる。
尚、木質材の表面に薄くＦＲＰなどの合成樹脂塗膜を施したものも選択されうる。
【０００８】
この、最後に述べた木質材の表面に薄い合成樹脂（ＦＲＰなどの）塗膜を施す場合には、極く微細な多数のスパイラル状を呈する溝は、バットの強度に悪影響を与えぬよう、表面の塗膜部分にのみ形成され、内部の木質材には至らないことが望ましい。
【０００９】
それ以外の素材の場合は、極く微細な多数の溝の深さ乃至幅は任意に選択可能であるが、一般的には、バットの軽さ及び強度に悪影響を及ぼさぬように、極めて浅い溝深さとなることが望ましい。
【００１０】
又、バットの長さ方向に形成される該スパイラル状の緩さの程度も、任意に選択されうるところである。
【００１１】
尚、該スパイラル状を呈する極く微細な多数の溝は、肉眼では目視しえね程度にまで微細化されることが一般的であると云えるが、必ずしもそれに限らず、バット強度維持とのかねあいにより肉眼で目視可能な程度に穿つことも技術的には可能である。
【００１２】
【発明の実施の形態及び実施例】
以下、本発明に係るカルマン渦を減少した棒状部を有する野球バットの好ましい実施の例を図を参照し乍ら説明する。
【００１３】
【実施例１】
図１は、本発明に係るアルミニウム合金より成る金属バットの平面図であり、図２は、図１のＡ−Ａ線断面拡大図である。
【００１４】
図１中、符号１は金属バット本体、符号２は皮革又は合成樹脂等にて形成した滑り止めグリップ部、符号３はグリップエンド、符号４は略平坦な形状を呈するヘッド頂部、符号５は本体１の要部をなす金属露出部である。
尚、符号６，６・・・は、本発明の中心をなす、スパイラル状を呈する超微細化された多数の磨き溝である。
又、図２中、Ｐはスパイラル状を呈する溝のピッチ、Ｗは同幅、Ｄは同深さ、をそれぞれ示している。
【００１５】
凡そ水中または空中をある物体が移動する場合、その先端、表面、及び後方で、水又は空気の圧縮と膨張、水又は空気の移動と振動、水または空気の吸着などが生じるため、ある物体をその位置に留まらせようとするように、種々の力が作用することが周知であり、典型的には「カルマン渦」と称する乱流などは、その最も適切な例であると云える。
そして、一言で云うとすれば、このカルマン渦は、ある物体が前方に進行しようとする時に、その後方に生じて物体を逆に、即ち後方に吸引しようとする好ましくないものである。
【００１６】
即ち、物体にはその進行を防げる逆方向に力が発生するため、水中または空中の物体の移動は、推力にとり大変困難となる。
野球においても、選手がバットをスウィングする行動自体が、バットを空気中で移動させるものであるため、物体を空中移動させる場合と同様の様々な好ましくない逆の力が加わり、空中移動させ推力を得る行動も大変複雑な諸要素を内在している。
【００１７】
従って、本発明は、上記空気抵抗の問題をとらえ、空気を積極的にコントロールして空気抵抗をできるだけ小さくした新規な野球用バットにより、優れた、即ち「速く、鋭く、ブレのない」バットのスウィングを可能とするものであり、本実施例に於いては、金属バット製作の最終段階に於いて、符号６の極く微細な磨き溝を、金属バット本体１のグリップ部２の先端部迄の金属露出部５の表面全体に、バットの長さ方向に、緩いスパイラル状を呈するよう連続して多数形成したものである。
【００１８】
該、スパイラル状を呈する角度は、標準的な緩さの角度を予め決めておくことも、あるいは場合によっては使用者の好む緩さの角度とすることも自由に選択が可能であり、
更には、スパイラル状を呈する巻きの方向も、利き腕の如何など、あるいは好みにより、左巻きとしたり、右巻きとしたりすることも選択自由である。
【００１９】
又、本実施例では、バット本体１の素材として、アルミニウム合金が採用されているが、勿論場合によってはアルミニウム合金以外の、例えばチタン合金更にはジュラルミンなどでもよく、あるいは更に他の金属乃至合金であっても、バットとしての適切な軽さ、強さ等を具備する以上不問である。
【００２０】
前記長さ方向にスパイラル状を呈する多数の微細な磨き溝６，６・・・は、バット製作の最終段階たる「磨き」工程の段階で行われる。
即ち、具体的には、金属製のバット１を成形、加工等して、最終的に磨き上げて完成品にする最終工程で、手加工として、あるいは機械的乃至電気的加工として、バットを構成する金属表面全体をサンドペーパー等種々の磨き材によるサンドがけをする時に、換言すれば一般的に云うところの最終工程に於ける「ヘアーラインバフ加工」時に形成される。
尚、該微細な磨き溝６，６・・・・の深さは、バット本来が有すべき強度に影響を与えない程度のものに、自ずと落ち着くことになる。
【００２１】
【実施例２】
本実施例では合成樹脂をバット本体部に採用した例を示す。
尚、
【実施例１】と共通の説明又、特に図示するまでもないものは省略する。
【００２２】
この実施例に於いては、バット全体は合成樹脂（ＦＲＰ）を素材としている。
この場合、極く微細な多数のスパイラル状を呈する溝は、通常の合成樹脂成型品製作と同様の工程・作業によって、一体に成型されることとなる。
【００２３】
【実施例３】
この実施例では、まず基本素材としては適宜「青タモ」等の木質材５’を選択し、その表面をＦＲＰなどの合成樹脂７で全体表面を被覆している。
この場合の極く微細な多数のスパイラル状を呈する溝は、
【実施例１】と同様
のサンドがけによることも、又、
【実施例２】と同様の一体成型によることも、何れも可能であるが、何れの場合も、内部の木質部５’に溝が穿たれることはなく、常に表面合成樹脂塗膜部分７の最内側をその限度とされることになる。
尚、図３は、本実施例の部分拡大図である。
【００２４】
【効果】
以上述べたように、本発明によればスパイラル状に形成された無数の微細な溝の存在によって、バットをスウィングする時に生じる好ましくない空気抵抗を減少し、好もしい整流効果とも相俟って、バットをスウィングする折りの著しい速度の向上、又、左右への振動乃至ぶれの阻止等カルマン渦による悪影響が解消され、流体抵抗が極めて減少される結果、充分な飛距離のアップが期待されうる。
尚、前述してきたように、本発明はバットに対する空気抵抗減を目的としているが、棒状を呈し、かつ、「振り抜く」という動作を要求される野球以外の競技、（例えばゴルフのシャフトなど）にも応用することも可能であることは云うまでもない。
【図面の簡単な説明】
【図１】本発明に係る金属バットの平面図である。
【図２】図１中、Ａ−Ａ線部分拡大図である。
【図３】本発明に係る他の実施例の部分拡大図である。
【符号の説明】
１・・・・・金属バット本体
２・・・・・グリップ部
３・・・・・グリップエンド
４・・・・・ヘッド頂部
５・・・・・金属露出部
５’・・・・木質素材
６・・・・・微細な磨き溝
７・・・・・合成樹脂素材
【図１】
2004130001.tif 000003
【図２】
2004130001.tif 000004
【図３】
2004130001.tif 000005